(57)【特許請求の範囲】
【請求項１】
複数の端子が並列状態でハウジングに収納されたフラット配線材用コネクタの各端子にディスクリート線を電気的に接続するためのコネクタであって、
前記フラット配線材用コネクタのハウジングに嵌合可能に形成され、かつ先端部分で導体が露出した複数本のディスクリート線をその導体露出部分の位置が揃った状態で前記端子の配列と対応する配列で保持するハウジングを有し、このハウジングを前記フラット配線材用コネクタのハウジングに嵌合させることにより、各ディスクリート線の導体露出部分が対応する端子に直接接触するように構成されており、
ディスクリート線を保持する前記ハウジングは、各ディスクリート線の導体露出部分を互いに隔離した状態で位置決めする位置決め部を備える板状の支持部材と、この支持部材に組付けられることにより前記位置決め部により位置決めされた各ディスクリート線の導体露出分の先端を固定する押え部材とを有しており、前記支持部材の片面側から他面側に前記導体露出部分の先端を貫通させた状態で各ディスクリート線を支持部材の前記片面側で支持しかつ当該片面側において前記端子が各ディスクリート線の導体露出部分に接触するように構成されるとともに、前記他面側において前記導体露出分の先端が前記支持部材と前記押え部材とにより挟持されていることを特徴とするディスクリート線用コネクタ。
【請求項２】
請求項１に記載のディスクリート線用コネクタにおいて、
前記ハウジングは、ディスクリート線のうち前記導体露出部分以外の部分を支持部材と該支持部材に組付けられる固定部材とにより挟持するように構成されていることを特徴とするディスクリート線用コネクタ。
【請求項３】
請求項２記載のディスクリート線用コネクタにおいて、
前記固定部材又は支持部材に、各ディスクリート線の前記導体露出部分以外の部分を位置決めするための溝状の位置決め部がさらに形成されていることを特徴とするディスクリート線用コネクタ。
【請求項４】
ディスクリート線と回路基板の回路とを電気的に接続する構造であって、
複数の端子が並列状態でハウジングに収納されたフラット配線材用コネクタが回路基板に固定されるとともに、前記端子が回路基板の回路に電気的に接続され、ディスクリート線を保持した前記請求項１乃至３のいずれかに記載のディスクリート線用コネクタが前記フラット配線材用コネクタに嵌合することにより前記ディスクリート線が回路基板の回路に電気的に接続されていることを特徴とする電気的接続構造。
【発明の詳細な説明】
【０００１】
【発明の属する技術分野】
本発明は、平角導体を並設したフラットケーブル、リボン電線、ＦＰＣ（Flexible Printed Circuit）等のフラット配線材を接続すべく回路基板等に固定されたフラット配線材用コネクタに対してディスクリート線を接続するコネクタ等に関するものである。
【０００２】
【従来の技術】
従来から、例えば自動車のインストゥルメントパネル（以下、インパネと略す）にオーディオ機器やナビゲーションシステム等の電気モジュールを組付けることは一般に行われており、多くの車種ではインパネ中央の収納ボックス内に各モジュールを積層した状態で収納することが行われている。
【０００３】
そして、各モジュール同士を電気的に接続する必要がある場合には、上下に隣設されるモジュール同士をフラットケーブル等のフラット配線材によって接続し、フラット配線材をモジュールの側面、あるいは背面に沿って配索することにより、限られた少ないスペースに電線を配索するようにしている。
【０００４】
【発明が解決しようとする課題】
ところで、車種によってはインパネのレイアウト等との関係でモジュール同士を車幅方向の離れた位置に収納するものもあり、このような車種では、モジュール同士を接続するためのフラット配線材が車両本体のワイヤーハーネス（ディスクリート線の束）と一体に結束された状態で配索される場合がある。
【０００５】
ところが、フラット配線材を結束バンド等によりワイヤーハーネスと共に結束すると、フラット配線材に捻れや無理な屈曲が生じる等して、例えば断線等の原因の一つになることが考えられる。そのため、上記のような電気モジュールにおいては、モジュール同士を積層した状態で配置する場合には配線材としてフラット配線材を使用する一方で、モジュール同士を離間した状態で配置する場合には配線材としてディスクリート線を使用できるようにしたいという要請がある。
【０００６】
なお、フラット配線材とディスクリート線のいずれの配線材をも使用できるように、各電気モジュールに異なる線種に対応する複数種類のコネクタを予め設けておくことも考えられるが、これでは電気モジュールのコストアップを助長するばかりか、省スペース化の妨げにもなり得策とはいえない。
【０００７】
本発明は、上記課題に鑑みてなされたものであって、回路基板等に固定されたフラット配線材用コネクタをそのまま利用してディスクリート線を回路基板等に接続できるようにすることを目的としている。
【０００９】
【課題を解決するための手段】
上記課題を解決するために、本発明は、複数の端子が並列状態でハウジングに収納されたフラット配線材用コネクタの各端子にディスクリート線を電気的に接続するためのコネクタであって、前記フラット配線材用コネクタのハウジングに嵌合可能に形成され、かつ先端部分で導体が露出した複数本のディスクリート線をその導体露出部分の位置が揃った状態で前記端子の配列と対応する配列で保持するハウジングを有し、このハウジングを前記フラット配線材用コネクタのハウジングに嵌合させることにより、各ディスクリート線の導体露出部分が対応する端子に直接接触するように構成されており、ディスクリート線を保持する前記ハウジングは、各ディスクリート線の導体露出部分を互いに隔離した状態で位置決めする位置決め部を備える板状の支持部材と、この支持部材に組付けられることにより前記位置決め部により位置決めされた各ディスクリート線の導体露出分の先端を固定する押え部材とを有しており、前記支持部材の片面側から他面側に前記導体露出部分の先端を貫通させた状態で各ディスクリート線を支持部材の前記片面側で支持しかつ当該片面側において前記端子が各ディスクリート線の導体露出部分に接触するように構成されるとともに、前記他面側において前記導体露出分の先端が前記支持部材と前記押え部材とにより挟持されているものである。
【００１０】
このようなコネクタによると該コネクタをフラット配線材用コネクタに嵌合させれば、各ディスクリート線の導体露出に相手側端子が直接接触してディスクリート線と端子とが電気的に接続されることとなる。
【００１１】
従って、例えば、フラット配線材用コネクタが回路基板に固定されるとともに、前記端子が回路基板の回路に電気的に接続されている場合には、ディスクリート線を保持した上記のディスクリート線用コネクタを前記フラット配線材用コネクタに嵌合させることにより前記ディスクリート線を回路基板の回路に電気的に接続することができる。
【００１４】
なお、このディスクリート線用コネクタにおいては、各ディスクリート線を前記フラット配線材用コネクタにおける端子の配列と対応する配列で支持する支持部材がハウジングに設けられるとともに、この支持部材に各ディスクリート線の導体露出部分を互いに隔離した状態で位置決めする位置決め部が設けられているため、隣り合うディスクリート線の導体露出部分同士の短絡を確実に防止することができ、特に、ディスクリート線を狭ピッチで配列する場合に有効となる。また、ディスクリート線をコネクタに保持する際の作業性も向上する。
【００１６】
また、支持部材に押え部材が組付けられ、前記位置決め部により位置決めされた各ディスクリート線の導体露出分の先端を支持部材と前記押え部材とにより挟持した状態で固定するように構成されているので、導体露出部分の位置決め状態が良好に維持される。特に、支持部材の片面側に各ディスクリート線を支持し、当該片面側において各ディスクリート線の導体露出部分に前記端子を接触させるように構成した上で、各ディスクリート線の導体露出部分の先端を支持部材の片面側から他面側に貫通させた状態で該他面側において支持部材と押え部材とで前記導体露出分の先端を挟持するように構成されているので、
コネクタ嵌合時の相手側端子に対する抵抗力がより一層向上する。つまり、コネクタ嵌合時に相手側端子が圧接しても導体露出部分が導体の軸方向に押し戻され難くなり、その結果、導体露出部分における前記軸方向の位置決め性が向上する。
【００２０】
なお、上記ディスクリート線用コネクタにおいては、保持するディスクリート線のうち導体露出部分以外の部分を支持部材とこれに組付けられる固定部材とにより挟持するように前記ハウジングを構成するのが好ましい。
【００２１】
このようにすれば、各ディスクリート線を簡単な構成で頑丈に固定することが可能となる。
【００２２】
この場合、固定部材又は支持部材に、各ディスクリート線の前記導体露出部分以外の部分を位置決めするための溝状の位置決め部を形成しておけば、ディスクリート線を支持部材に対して配列し易くなり、ハウジングに対してディスクリート線を保持させる際の作業性が向上するというメリットがある。
【００２３】
なお、請求項の記載において「ディスクリート線」とは、単芯線、撚線、丸線、角線等、あらゆる独立した電線形態を含むものであり、またメッキ処理等の有無も問わないものである。
【００２４】
【発明の実施の形態】
本発明の実施の形態について図面を用いて説明する。
【００２５】
図１は、本発明に係るディスクリート線用コネクタおよび電気的接続構造（方法）を説明する斜視概略図である。この図において、Ｃ１はフラット配線材用コネクタからなる基板側コネクタで、回路基板Ｐの表面に実装された状態で固定されている。また、Ｃ２，Ｃ３は，共にこの回路基板Ｐに嵌合可能に構成された配線材側コネクタであり、コネクタＣ２はフラットケーブル１０（フラット配線材）を、コネクタＣ３はディスクリート線１４をそれぞれ回路基板Ｐに接続するように構成されている。つまり、上記基板側コネクタＣ１および配線材側コネクタＣ２がいわゆるフラット配線材接続用のコネクタで、上記配線材側コネクタＣ３が本発明のディスクリート線用コネクタに該当する。
【００２６】
基板側コネクタＣ１は、スリット状の差込口２０ａを具備した幅方向に細長のコネクタハウジング２０（以下、ハウジング２０と略す）を有している。
【００２７】
ハウジング２０内には、図２に示すように幅方向（同図では紙面に直交する方向）に多数の端子収納室２２が並設されており、各端子収納室２２内に端子２４がそれぞれ収納されている。
【００２８】
各端子収納室２２内に収納される端子２４は全て同一形状とされている。具体的には、先端（図２の右側端）に上下に撓み変位可能な接続用撓み片２４ａを、後端に脚部２４ｂをそれぞれ備えており、脚部２４ｂが回路基板Ｐの固定用ランドに半田付けされることにより基板上回路（パターン）に接続されている。
【００２９】
なお、ハウジング２０の上面には、配線材側コネクタＣ２，Ｃ３を嵌合させる際のガイド２６と、嵌合後、該コネクタＣ２，Ｃ３をロックするためのフック２８とが形成されている。
【００３０】
一方、配線材側コネクタＣ２は、フラットケーブル１０を保持するハウジング３０を有している。ハウジング３０は、図３に示すようにハウジング本体３０ａとリテーナ３０ｂとから構成されており、リテーナ３０ｂ上にフラットケーブル１０を重ねた状態で、これをハウジング本体３０ａに挿着することにより、フラットケーブル１０を保持するように構成されている。
【００３１】
より具体的に説明すると、ハウジング３０ａは、フラットケーブル１０の後記導体１１を保護するための部材で、図３及び図５に示すように、フラットケーブル１０の幅方向に延びる細長の上部フード４２とその両側の側部フード４４とを備えた形状を有しており、ハウジング本体３０ａの先端部（図５の左側端部）には、さらに上部フード４２の下方において幅方向に延びる角棒状の押え部材４６を備えている。また、上部フード４２の上部には、基板側コネクタＣ１の前記ガイド２６を案内するためのスリット４７と、同フック２８の係止穴４８ａを備えた操作片４８等が一体に形成されている。
【００３２】
リテーナ３０ｂは、上部に平坦なケーブル支持面３２を有した薄板状の部材で、この支持面３２上にフラットケーブル１０を重ね合わせるように構成されている。支持面３２の先端部にはケーブル１０の先端位置決め用の凸部３８が幅方向に形成され、この凸部３８に前記端子２４の案内溝３８ａが幅方向に等間隔で形成されているとともに、後端部には、その幅方向両側に固定用の一対の凸部３４が形成されている。
【００３３】
なお、フラットケーブル１０は、図３に示すように、端部が処理されて各導体１１が露出した状態とされており、その端末部分の裏面にはケーブル端部の撓みを規制する補強板１２が積層固定されている。
【００３４】
配線材側コネクタＣ２によるフラットケーブル１０の保持は、まず、図３の白抜き矢印に示すようにフラットケーブル１０の端部をリテーナ３０ｂ（支持面３２）に重ね合せ、フラットケーブル１０の先端を凸部３８に突き当てた状態で該ケーブル１０をリテーナ３０ｂに固定する。この固定は、フラットケーブル１０の前記補強板１２の先端に突設された凸片１２ｂを前記凸部３８に形成されたスリット３８ｂに差し込み、さらに補強板１２の後端部に穿設された固定孔１２ａをリテーナ３０ｂの前記凸部３４に圧入することにより行う。
【００３５】
次に、この状態でリテーナ３０ｂとフラットケーブル１０を図４及び図５に示すようにハウジング本体３０ａの下側から上部フード４２と押え部材４６との間に挿入し、リテーナ３０ｂの先端部を押え部材４６に重ねて図５の矢印に示すようにリテーナ後部を押し上げる。このようにするとリテーナ３０ｂの側面に形成されたフック３６（図３に示す）が側部フード４４に形成された係止用凹部４４ａに嵌入し、図２に示すようにフラットケーブル先端の導体１１の露出部分がハウジング先端に形成された中空部分４９に臨んだ状態でフラットケーブル１０がハウジング３０に保持されることとなる。
【００３６】
そして、フラットケーブル１０を回路基板Ｐに接続するには、図２に示すように配線材側コネクタＣ２を基板側コネクタＣ１の前記差込口２０ａに対向させ、配線材側コネクタＣ２のリテーナ３０ｂの部分をその先端側から差込口２０ａに差込みながら両コネクタＣ１，Ｃ２のハウジング同士を嵌合させる。この際、基板側コネクタＣ１のガイド２６を配線材側コネクタＣ２のスリット４７に沿って案内しながらハウジング同士を嵌合させる。
【００３７】
このようにすると、配線材側コネクタＣ２の前記操作片４８が基板側コネクタＣ１のフック２８により押し上げられ、両コネクタＣ１，Ｃ２が完全な嵌合状態となると、図６に示すようにフック２８が係止穴４８ａに入って操作片４８とフック２８とが係合状態となり、その結果、両コネクタＣ１，Ｃ２が嵌合した状態にロックされる。そして、このようにコネクタＣ１，Ｃ２が嵌合すると、フラットケーブル１０の導体１１の露出部分がリテーナ３０ｂと共に基板側コネクタＣ１のハウジング２０内に差込まれ、各導体１１に対して端子２４の接続用撓み片２４ａが接触することとなる。この接触により、フラットケーブル１０の各導体１１がそれぞれ対応する端子２４を介して回路基板Ｐの回路に接続されることとなる。
【００３８】
次に、上記配線材側コネクタＣ３について説明する。
【００３９】
なお、配線材側コネクタＣ３の基本的な構成は上述した配線材側コネクタＣ２と共通しているため、配線材側コネクタＣ２と重複した説明も多くなるが、共通部分については極力、説明を簡略して説明することにする。
【００４０】
配線材側コネクタＣ３は、複数本のディスクリート線１４、具体的には上記フラットケーブル１０の導体１１と同じ数のディスクリート線１４を保持するハウジング５０を有している。
【００４１】
ハウジング５０は、図７に示すようにハウジング本体５０ａ，リテーナ５０ｂ（支持部材）及び固定板５０ｃ（配列規制用部材：固定部材）とから構成されており、リテーナ５０ｂにディスクリート線１４を並列にならべて固定板５０ｃで固定し、これをハウジング本体５０ａに挿着するように構成されている。
【００４２】
具体的に説明すると、ハウジング本体５０ａは、図７及び図１１に示すように、上部フード６２と側部フード６４とを備え、さらにその先端部（図１１の左側端部）であって上部フード６２の下方に、幅方向に延びる押え部材６６を備えている。この押え部材６６の上面には、ディスクリート線１４を位置決めするための凹部６６ａが幅方向に一定の間隔で形成されている。また、上部フード６２には、基板側コネクタＣ１の前記ガイド２６を案内するためのスリット６７と、フック２８の係止穴６８ａを備えた操作片６８等が一体に形成されている。
【００４３】
リテーナ５０ｂは、薄板上の部材で、その上面にはディスクリート線１４の支持部５２が設けられ、ここにディスクリート線１４を幅方向に位置決めした状態で支持するように構成されている。
【００４４】
具体的に説明すると、図７及び図１０（ａ）に示すように支持部５２の先端には幅方向に延びる凸部５８が形成され、この凸部５８に端子２４の案内溝５８ａが幅方向に一定の間隔で形成されている。凸部５８の後側（図１０（ａ）では右側）には、各案内溝５８ａに対応してディスクリート線１４を幅方向に位置決めするための凹部５４が並設されている。各凹部５４は、先端側が狭く（狭部５４ａ）、その後側が広く（広部５４ｂ）形成されている。つまり、ディスクリート線１４のうち先端の導体露出部分を狭部５４ａで、その後側の被覆部分を広部５４ｂでそれぞれ位置決めするように構成されている。なお、細部５４ａは隣り合うディスクリート線１４の導体同士を確実に隔離させるようにその隔壁の高さが設定されている。
【００４５】
また、リテーナ５０ｂの先端であって支持部５２の下側（裏側）に、前記案内溝５８ａに対向して押え部材６６の前記凹部６６ａに対応する凹部５６が幅方向に形成されているとともに、これらリテーナ下側の各凹部５６と、これに対応するリテーナ上側の前記凹部５４とが貫通孔５７を通じて連絡されている。
【００４６】
固定板５０ｃは、薄板状からなる細長の部材で、その下面にはリテーナ５０ｂの前記凹部５４（広部５４ｂ）に対応するディスクリート線位置決め用の凹部（図示せず）が長手方向に並設されている。また、固定板５０ｃの長手方向両端部位には、ハウジング５０ｂへの固定孔６０がそれぞれ形成されている。
【００４７】
なお、各ディスクリート線１４は、図７に示すように、端部が処理されて各導体１５が露出した状態とされている。
【００４８】
配線材側コネクタＣ３による各ディスクリート線１４の保持は、次のようにして行われる。
【００４９】
まず、各ディスクリート線１４をその先端、つまり導体１５の先端部分を揃えた状態で並列に並べ、これら各ディスクリート線１４に対して固定板５０ｃを接着する。これにより各ディスクリート線１４を並べた状態で一体に連結する。この際、各ディスクリート線１４と固定板５０ｃとは、固定板５０ｃの前記凹部により各ディスクリート線１４を位置決めした状態で互いに接着する。
【００５０】
次に、図８及び図１０（ａ）に示すように、各ディスクリート線１４の先端部分（導体１５の先端）をリテーナ５０ｂの上側から貫通孔５７を通して下側に導出する。そして、図１０（ｂ）に示すようにリテーナ下側の凹部５６およびリテーナ上側の凹部５４（狭部５４ａ）にそれぞれ導体１５の露出部分を嵌め込むとともに、導体１５の露出部分以外の部分（被覆部分）を凹部５４の広部５４ｂに沿わせ、このようにして各ディスクリート線１４を幅方向に互いに平行な状態に位置決めする。そして、リテーナ５０ｂの前記凸部５３を固定板５０ｃの固定孔６０に圧入、これにより各ディスクリート線１４をリテーナ５０ｂと固定板５０ｃとにより挟持する。
【００５１】
次に、この状態でリテーナ５０ｂと各ディスクリート線１４を図９及び図１１に示すようにハウジング本体５０ａの下側から上部フード４２と押え部材６６との間に挿入し、リテーナ５０ｂの先端部を押え部材６６に重ねて図１１の矢印に示すようにリテーナ後部を押し上げる。この際、各ディスクリート線１４の導体先端部分を押え部材６６の対応する凹部６６ａに嵌めながらリテーナ５０ｂを押え部材６６に重ねるようにする。このようにするとリテーナ５０ｂの側面に形成されたフック５５（図７に示す）がハウジング本体５０ａの側部フード６４に形成された係止用凹部６４ａ（図１１に示す）に嵌入し、図１２（ａ）に示すように導体１５の露出部分がハウジング先端に形成される中空部分６９に臨んだ状態で、各ディスクリート線１４が配線材側コネクタＣ３に保持されることとなる。また、ハウジング本体５０ａの上部フード中央に突設された押圧部６２ａがリテーナ５０ｂの上部であって、かつフック５５よりもやや前側の部分に当接することによりリテーナ５０ｂの先端がフック５５を支点として押し下げられ、その結果、各ディスクリート線１４の導体露出部分のうちその先端部分がリテーナ下面と押え部材６６とに挟持された状態で強固に固定された状態となる。
【００５２】
そして、各ディスクリート線１４を回路基板Ｐに接続するには、図１２（ａ）に示すように配線材側コネクタＣ３を基板側コネクタＣ１の前記差込口２０ａに対向させ、配線材側コネクタＣ３のリテーナ５０ｂの部分をその先端側から差込口２０ａに差込みながら両コネクタＣ１，Ｃ３のハウジング同士を嵌合させる。この際、基板側コネクタＣ１のガイド２６を配線材側コネクタＣ３のスリット６７に沿って案内しながらハウジング同士を嵌合させる。
【００５３】
このようにすると、配線材側コネクタＣ３の前記操作片６８が基板側コネクタＣ１のフック２８により押し上げられ、両コネクタＣ１，Ｃ３が完全な嵌合状態となると、図１２（ｂ）に示すようにフック２８が係止穴６８ａに入って操作片６８とフック２８とが係合状態となり、その結果、両コネクタＣ１，Ｃ３が嵌合した状態にロックされる。そして、このようにコネクタＣ１，Ｃ３が嵌合すると、各ディスクリート線１４の先端、つまり導体１５の露出部分がリテーナ５０ｂと共に基板側コネクタＣ１のハウジング２０内に差込まれ、各ディスクリート線１４の導体１５に対して各端子２４の接続用撓み片２４ａがそれぞれ接触することとなる。この接触により、各ディスクリート線１４の各導体１５がそれぞれ対応する端子２４を介して回路基板Ｐの回路に接続されることとなる。
【００５４】
以上説明したように、上記配線材側コネクタＣ３によると、フラット配線材用コネクタである基板側コネクタＣ１に嵌合させることによりディスクリート線１４をフラットケーブル１０と同様にして回路基板Ｐに電気的に接続することができる。従って、従来技術で説明したように、状況に応じて配線材の線種を変更したい場合、すなわち電気モジュール同士の接続を通常はフラットケーブルで行いながら、必要に応じてディスクリート線を用いて接続したいという市場ニーズにに対応することができる。
【００５５】
特に、この配線材側コネクタＣ３を用いれば、回路基板Ｐの構成や基板側コネクタＣ１はそのままで、つまり基板側コネクタＣ１をそのまま使ってディスクリート線１４を回路基板Ｐに接続することができるので、複数種類のコネクタを電気モジュールに設ける場合のようにコストアップを助長したり、省スペース化を妨げるといった弊害を伴うことがない。そのため、上記のような市場ニーズに合理的に対応できるというメリットがある。
【００５６】
なお、上記の配線材側コネクタＣ３は、フラット配線材用コネクタである基板側コネクタＣ１をそのまま使用してディスクリート線１４を回路基板Ｐに接続するという特徴以外に、細部の構成において以下のような特徴を有している。
【００５７】
まず、この配線材側コネクタＣ３では、複数のディスクリート線１４を並列に並べて保持する必要があるが、この点、この配線材側コネクタＣ３では、上記のようにリテーナ５０ｂに位置決め用の凹部５４を設けて各ディスクリート線１４を位置決めするようにしているので、ハウジング３０（リテーナ５０）に対するディスクリート線１４の組付けを容易に行うことができ、またディスクリート線の導体１５同士の短絡も確実に防止することができるという特徴がある。特に、この実施形態では、各ディスクリート線１４を並べ、これに固定板５０ｃを接着することにより各ディスクリート線１４を予め一体に連結しておき、この状態で各ディスクリート線１４をリテーナ５０ｂに組付けるようにしているので、リテーナ５０ｂへの各ディスクリート線１４の組付け作業を同時に行うことが可能である。従って、かかる組付け作業を効率的に行うことができるという特徴がある。
【００５８】
また、各ディスクリート線１４の導体露出部分を押え部材６６とリテーナ５０ｂとで挟持した状態で保持しているので、コネクタ嵌合に伴い導体露出部分が端子２４に押し戻されるのを確実に防止することができ、その結果、導体露出部分の軸方向（導体１５の軸方向；図１２では左右方向）の位置決め性が向上するという特徴がある。特に、上記の例では、導体１５の露出部分をリテーナ５０ｂの上側から下側に通すことにより導体１５を屈曲させた状態で挟持しているので、端子２４に対する抵抗力が高く、上記のような端子２４の圧接による導体１５の押し戻し現象をより確実に防止することができる。
【００５９】
ところで、以上の例は、本発明にかかるディスクリート線用コネクタおよび電気的接続構造（方法）の一つの実施形態であって、その具体的な構成は、本発明の要旨を逸脱しない範囲で適宜変更可能であり、例えば、以下のように構成してもよい。
【００６０】
▲１▼ 上記の配線材側コネクタＣ３では、ディスクリート線１４の導体露出部分を保護するためのハウジング本体５０ａがハウジング５０に設けられているが、これを省略してコネクタ構造を簡略化してもよい。
【００６１】
▲２▼ 上記の配線材側コネクタＣ３では、リテーナ５０ｂの表側（支持部５２）に支持した各ディスクリート線１４の導体先端をリテーナ５０ｂの裏側に通し、該裏側で導体先端を挟持するようにしているが、必ずしもこのような保持構造を採る必要はなく、例えば導体１５を支持部５２上に真っ直ぐに伸ばした状態で挟持するようにしてもよい。但し、上記のように導体先端をリテーナ５０ｂの裏側に通して挟持するようにすれば、該先端部分が屈曲して抜けに難くなるので、コネクタ嵌合操作に伴い端子２４が圧接しても端子１５の先端部分が押し戻され難くなるというメリットがある。
【００６２】
▲３▼ 上記の配線材側コネクタＣ３では、ディスクリート線１４の位置決め部材の一つとしてリテーナ５０ｂの支持部５２に狭部５４ａ及び広部５４ｂからなる凹部５４を設けているが、ディスクリート線１４はその先端の導体露出部分が正しく位置決めされていればよいため、導体露出部分より後側の部分（被覆部分）を位置決めする広部５４ｂについてはこれを省略しても構わない。
【００６３】
▲４▼ 上記の配線材側コネクタＣ３において、固定板５０ｃは必ずしもディスクリート線位置決め用の凹部を備えたものである必要ななく、例えば、単純な平板であっても構わない。この場合には、例えば各ディスクリート線を治具を用いて並列に位置決めした状態で固定板５０ｃをディスクリート線に接着、固定すればよい。
【００６４】
▲５▼ ディスクリート線１４の導体１５が撚線である場合には、該撚線が解れた場合に隣り合うディスクリート線同士が短絡することが考えられる。従って、これを防止するために、導体１５が撚線である場合にはディスクリート線１４の導体露出部分に予め半田を含浸させて一体化させておくようにしてもよい。
【００６５】
【発明の効果】
以上説明したように、本発明のディスクリート線用コネクタは、各フラット配線材用コネクタに嵌合させることにより、ディスクリート線を該フラット配線材用コネクタに収納された各端子に対して電気的に接続することができる。従って、フラット配線材用コネクタからなる基板側コネクタが回路基板等に固定されている場合には、このフラット配線材用コネクタをそのまま使ってディスクリート線を回路基板に接続することができるようになる。
【図面の簡単な説明】
【図１】本願発明にかかるディスクリート線用コネクタおよびこのコネクタを用いた電気的接続構造を説明する斜視図である。
【図２】基板側コネクタと配線材側コネクタ（フラット配線材側）を示す断面図である（未接続状態）。
【図３】配線材側コネクタ（フラット配線材側）の構成を示す分解斜視図である。
【図４】配線材側コネクタ（フラット配線材側）の構成を示す分解斜視図である。
【図５】配線材側コネクタ（フラット配線材側）の組み立て手順を示す断面図である。
【図６】基板側コネクタと配線材側コネクタ（フラット配線材側）を示す断面図である（接続状態）。
【図７】配線材側コネクタ（ディスクリート線側）の構成を示す分解斜視図である。
【図８】配線材側コネクタ（ディスクリート線側）の構成を示す分解斜視図である。
【図９】配線材側コネクタ（ディスクリート線側）の構成を示す分解斜視図である。
【図１０】配線材側コネクタ（ディスクリート線側）の組み立て手順を示す断面図である（ディスクリート線をリテーナに組付ける手順）。
【図１１】配線材側コネクタ（ディスクリート線側）の組み立て手順を示す断面図である。
【図１２】基板側コネクタと配線材側コネクタ（ディスクリート線）を示す断面図である（（ａ）は未接続状態、（ｂ）は接続状態））。
【符号の説明】
Ｃ１  基板側コネクタ（フラット配線材用コネクタ）
Ｃ２  配線材側コネクタ
Ｃ３  配線材側コネクタ（ディスクリート線用コネクタ）
１４  ディスクリート線
１５  導体
２０  ハウジング
２４  端子
４６  押え部材
５０  ハウジング
５０ａ  ハウジング本体
５０ｂ  リテーナ（支持部材）
５０ｃ  固定板（配列規制用部材；固定部材）
【図１】
0004430275.tif 000002
【図２】
0004430275.tif 000003
【図３】
0004430275.tif 000004
【図４】
0004430275.tif 000005
【図５】
0004430275.tif 000006
【図６】
0004430275.tif 000007
【図７】
0004430275.tif 000008
【図８】
0004430275.tif 000009
【図９】
0004430275.tif 000010
【図１０】
0004430275.tif 000011
【図１１】
0004430275.tif 000012
【図１２】
0004430275.tif 000013